(57)【特許請求の範囲】
【請求項１】
床面から上方に突出した既設便器排水口を内嵌装しこの既設便器排水口の外周面を接続シールする既設弾性ジョイントを装着した装着筒状部を有する既設排水ソケットと、新設便器排水口を内嵌装しこの新設便器排水口の外周面を接続シールする新設弾性ジョイントを装着する装着筒部とその下流側に既設便器排水口の外径と略同径の外径を有し内側が通水路となる差込み筒部を有する新設排水ソケットとを備え、前記差込み筒部を前記既設弾性ジョイントに差込み、差込み筒部の外周面を接続シールし、前記既設排水ソケットと新設排水ソケットとを接続したことを特徴とする便器の排水ソケット接続構造。
【請求項２】
床面から上方に突出した既設便器排水口を内嵌装しこの既設便器排水口の外周面を接続シールする既設弾性ジョイントを装着した装着筒状部を有する既設排水ソケットと、新設便器排水口を内嵌装しこの新設便器排水口の外周面を接続シールする新設弾性ジョイントを装着する装着筒部とその下流側に前記装着筒状部の径より小さい外径を有し内側が通水路となる差込み筒部を有する新設排水ソケットとを備え、既設弾性ジョイントを前記差込み筒部の外周面をシール接続する新規弾性ジョイントに取替え、前記差込み筒部を新規弾性ジョイントに差込み、前記既設排水ソケットと新設排水ソケットとを接続したことを特徴とする便器の排水ソケット接続構造。
【請求項３】
前記新設排水ソケットの差込み筒部が、その内側に排水通路となる排水筒部を内包していることを特徴とする請求項１または２記載の便器の排水ソケット接続構造。
【請求項４】
前記新設排水ソケットが前記差込み筒部を内包する外壁部を備え、外壁部によって既設排水ソケットを内包することを特徴とする請求項１乃至３のいずれかに記載の便器の排水ソケット接続構造。
【請求項５】
前記新設排水ソケットが前記差込み筒部を内包する嵌合筒状部を単一または複数備え、前記差込み筒部と嵌合筒状部がＶＰ／ＶＵ７５配管、ＶＰ／ＶＵ１００配管の４種類の配管と内嵌合または外嵌合する径を有していることを特徴とする請求項１乃至４のいずれかに記載の便器の排水ソケット接続構造。
【請求項６】
前記新設排水ソケットを、既設排水ソケットの床固定具または便器固定具を利用して床固定したことを特徴とする請求項１乃至５のいずれかに記載の便器の排水ソケット接続構造。
【請求項７】
前記新設排水ソケットの外周部に中心軸を示した印を設けたことを特徴とする請求項１乃至６のいずれかに記載の便器の排水ソケット接続構造。
【請求項８】
前記新設排水ソケットが硬質塩化ビニール以外の樹脂材料によって形成されていることを特徴とする請求項１乃至７のいずれかに記載の便器の排水ソケット接続構造。
【発明の詳細な説明】
【０００１】
【発明の属する技術分野】
本発明は、既設の便器から新しい便器に取替える際の既設の床に配設された既設排水ソケットと新しい便器の新設排水ソケットとの接続構造に関するものである。
【０００２】
【従来の技術】
従来、便器の取替えにともなう排水ソケットの接続構造の一例として、図１２に示すようにフランジ部１１に排水管８をつば広げし、つば広げされた排水管８と便器排水口周囲の座との隙間をＰシールガスケット２６を用いシールした既設の大便器を新しい便器に取り替える場合、図１３に示すように既設のフランジ部１１を流用し、新しいＰシールガスケット２６を用い既設フランジ１１と新設の排水アジャスタのフランジ接続部２７とをシール接続していた。
【０００３】
【発明が解決しようとする課題】
しかし、図１４、１５、１６に示すように、便器固定ボルト５の取付部９と既設排水ソケット２自体を床に固定するための固定穴１０を有したフランジ部１１と、フランジ部１１より上方側に便器排水口１２と接続する既設ゴムジョイント１３とゴムジョイント１３の装着筒部２ａを備え、フランジ部１１より下方側に排水管８との嵌合筒部１４を備えた既設排水ソケット２を使用した大便器の場合、この大便器から固定方法が違う大便器への取替えは、既設の床側に配設した排水ソケットを取外し排水管の立上げをやり直す必要があった。
そこで、本発明は既設の床側の排水ソケットを取外さずに、新しい便器の新設排水ソケットとの接続が行える便器の排水ソケット接続構造を提供することを目的とする。
【０００４】
【課題を解決するための手段・作用・効果】
請求項１記載の便器の排水ソケット接続構造は、床面から上方に突出した既設便器排水口を内嵌装しこの既設便器排水口の外周面を接続シールする既設弾性ジョイントを装着した装着筒状部を有する既設排水ソケットと、新設便器排水口を内嵌装しこの新設便器排水口の外周面を接続シールする新設弾性ジョイントを装着する装着筒部とその下流側に既設便器排水口の外径と略同径の外径を有し内側が通水路となる差込み筒部を有する新設排水ソケットとを備え、前記差込み筒部を前記既設弾性ジョイント部に差込み、差込み筒部の外周面を接続シールし、前記既設排水ソケットと新設排水ソケットとを接続したことを特徴とする。
このような構造とすることで、既設便器から新設便器に取替える際に、既設便器を取外すのみで既設排水ソケットを扱う必要はなく施工が容易になる。
【０００５】
請求項２記載の便器の排水ソケット接続構造は、床面から上方に突出した既設便器排水口を内嵌装しこの既設便器排水口の外周面を接続シールする既設弾性ジョイントを装着した装着筒状部を有する既設排水ソケットと、新設便器排水口を内嵌装しこの新設便器排水口の外周面を接続シールする新設弾性ジョイントを装着する装着筒部とその下流側に前記装着筒状部の径より小さい外径を有し内側が通水路となる差込み筒部を有する新設排水ソケットとを備え、既設弾性ジョイントを前記差込み筒部の外周面をシール接続する新規弾性ジョイントに取替え、前記差込み筒部を新規弾性ジョイントに差込み前記既設排水ソケットと新設排水ソケットとを接続したことを特徴とする。
このような構造とすることで、前記差込み筒部の外径を既設弾性ジョイントの仕様に合せる必要がなく、便器の洗浄性能に重点を置いた排水通路の流路面積を設計することができる。
【０００６】
請求項３記載の便器の排水ソケット接続構造は、前記新設排水ソケットの差込み筒部が、その内側に排水通路となる排水筒部を内包していることを特徴とする。
このような構造とすることで、既設弾性ジョイントを流用し便器の洗浄性能に重点を置いた排水通路の流路面積を設計することができる。
【０００７】
請求項４記載の便器の排水ソケット接続構造は、前記新設排水ソケットが前記差込み筒部を内包する外壁部を備え、外壁部によって既設排水ソケットを内包することを特徴とする。
このような構造とすることで、既設の既設排水ソケットを床に固定するための木ネジを新設排水ソケットとの干渉を避けるため外した木ネジ跡により生じた床下空間との貫通穴から床上と床下空間との空気が置換するのを防ぎ、結露を防止することが可能となる。
【０００８】
請求項５記載の便器の排水ソケット接続構造は、前記新設排水ソケットが前記差込み筒部を内包する嵌合筒状部を単一または複数備え、前記差込み筒部と嵌合筒状部がＶＰ／ＶＵ７５配管、ＶＰ／ＶＵ１００配管の４種類の配管と内嵌合または外嵌合する径を有していることを特徴とする。
このような構造とすることで、新築や増改築現場で使用する排水ソケットと、既設便器から取替える際に使用する排水ソケットとを共通使用することが可能となる。
【０００９】
請求項６記載の便器の排水ソケット接続構造は、新設排水ソケットの固定を、既設排水ソケットの床固定具または便器固定具を利用して固定したことを特徴とする。
このような構造とすることで、新設排水ソケットに床固定部を新たに設ける必要がなく施工が合理的である。
【００１０】
請求項７記載の便器の排水ソケット接続構造は、新設排水ソケットの外周部に中心軸を示した印を設けたことを特徴とする。
このような構造とすることで、新設ソケットを取付ける際に便器の中心軸または既設排水ソケットの中心軸に合せることができ、回転方向の取付誤差を抑えることができる。
【００１１】
請求項８記載の便器の排水ソケット接続構造は、新設排水ソケットが硬質塩化ビニール以外の樹脂材によって形成されていることを特徴とする。
本発明において、硬質塩化ビニール製の既設排水ソケットに対し新設排水ソケットを接着剤にて接続する必要がないため、新設排水ソケットの材質として塩化系以外の樹脂、例えば、ＡＢＳ樹脂や、ＰＰ（ポリプロピレン）、ＰＥ（ポリエチレン）、ＰＰＳ（ポリフェニレンサルファイド）、ＭＡ（アクリル）、ＰＯＭ（ポリアセタール）等の種々の樹脂を使用することができる。
【００１２】
【発明の実施の形態】
以下に本発明の実態の形態を添付図面に基づいて説明する。
図１は、請求項１に係る排水ソケットの接続構造の断面図であり、新設の大便器１、新設排水ソケット３、既設排水ソケット２からなる。
新設排水ソケット３は、その上部の大便器１の排水口部１２を収容し排水口部１２の外周面と当接してシールする新設ゴムジョイント４を装着する装着筒部３ａと、装着筒部３ａの下端部に形成した水平段部３ｂ、水平段部３ｂの先端部から下方に連続して形成した排水通路３ｃ兼、差込み筒部３ｄと、差込み筒部３ｄの外側に形成した外周壁部３ｆを備えている。また、上部の左右端部の２ヶ所には、便器固定ボルト５と螺合して大便器１と新設排水ソケット３を固定するための便器固定ナット６が一体的に取り付けられており、また外周壁部３ｆの下端には床面に沿って外方向に伸びたフランジ部１１を有し、フランジ部１１には新設排水ソケット３を床に固定するための固定穴１０を複数個有している。
既設の排水ソケット２は排水ソケット２自体を床に固定するための固定穴１０と既設の便器を固定するための取付部を有したフランジ部１１と、フランジ部１１より上方側に既設の大便器１の排水口部１２を収容し排水口部１２の外周面と当接してシールする既設ゴムジョイント１３を装着する装着筒部２ａを備えている。
新設排水ソケット３の前記差込み筒部３ｄの外径は、既設の大便器の排水口外径と略同径を有しており、差込み筒部３ｄを既設排水ソケット２の既設ゴムジョイント４に差込むと差込み筒部３ｄの外周面と当接してシール接続し、２つの排水ソケット２と３を接続する。
【００１３】
図２は、請求項１に係る排水ソケットの接続構造の別の断面図であり、新設の大便器１、新設排水ソケット３３、既設排水ソケット２からなる。
新設排水ソケット３３は、その上部の大便器１の排水口部１２を収容し排水口部１２の外周面と当接してシールする新設ゴムジョイント４４を装着する装着筒部３３ａと、装着筒部３３ａの下方に連続して曲管状に形成し大便器１から流下してきた洗浄水を排水受面３３ｈで受け止めて新設排水ソケット３３の下方に水流を導くための排水案内面３３ｊとからなる排水通路３３ｃと、排水通路３３ｃの下方に床面に対し垂直且つ装着筒部３３ａの中心軸に対し偏心した中心軸を有する排水通路兼差込み筒部３３ｄと、差込み筒部３３ｄの下方に差込み筒部３３ｄの外径より小さい外径を有する下方差込み筒部３３ｅと、差込み筒部３３ｄの外側に形成した外周壁部３３ｆを備えている。また外周壁部３３ｆの下端には床面に沿って外方向に伸びたフランジ部１１を有し、フランジ部１１には新設排水ソケット３３を床に固定するための固定穴（図示しない）を複数個有している。
既設排水ソケット２の構成は、前記と同様である。
新設排水ソケット３３の前記差込み筒部３３ｄの外径は、既設の大便器の排水口外径と略同径を有しており、差込み筒部３３ｄを既設排水ソケット２の既設ゴムジョイント１３に差込むと差込み筒部３３ｄの外周面と当接してシール接続し、２つの排水ソケット２と３３を接続する。
【００１４】
図３、４は、請求項２に係る排水ソケットの接続構造の断面図である。
新規ゴムジョイント２３は、既設排水ソケット２の既設ゴムジョイント１３を装着する装着筒部２ａに装着され新設排水ソケット３、３３の差込み筒部３ｄ、３３ｄの外周面と当接してシールし、２つの排水ソケット２と３、３３を接続している。
【００１５】
図５、６は、請求項３に係る排水ソケットの接続構造の断面図である。新設排水ソケット３、３３の差込み筒部３ｄ、３３ｄが、その内側に排水通路３ｃ、３３ｃとなる排水筒部３ｇ、３３ｇを内包している。
【００１６】
図１から９は、請求項４に係る排水ソケットの接続構造の断面図でもある。各図に示すように新設排水ソケット３、３３の外壁部３ｆ、３３ｆが既設排水ソケット２を内包し、外壁部３ｆ、３３ｆの下端面が床面に当接している。
【００１７】
図７、８は、請求項５に係る排水ソケットの接続構造の断面図である。
図７は、新設排水ソケット３が前記差込み筒部３ｄを内包する第１嵌合筒状部３ｋと更に３ｋを内包する第２嵌合筒状部３ｍを備えており、第１嵌合筒状部３ｋの内側面がＶＰ／ＶＵ７５配管の外周面と、前記第２嵌合筒状部３ｍの内側面がＶＰ／ＶＵ１００配管の外周面と嵌合する取合いになっている。
図８は、新設排水ソケット３３が前記差込み筒部３３ｄを内包する第１嵌合筒状部３３ｋを備えており、前記下方差込み筒部３３ｅの外周面がＶＰ７５の内側面と、前記差込み筒部３３ｄの外周面がＶＵ７５配管の内側面と、前記第１嵌合筒状部３３ｋの内側面がＶＰ／ＶＵ１００配管の外周面と嵌合する取合いになっている。
【００１８】
図９は、請求項６に係る排水ソケットの接続構造の部分断面図である。新設排水ソケット３、３３のを、既設排水ソケット２の便器固定ボルト５５を利用し床固定している。図１０に図９の部分断面拡大図である。
【００１９】
図１１は、請求項７に係る新設排水ソケットの平面図である。排水ソケット３の中心軸を示す印１５を外壁部四方に凸形状にて印している。
【００２０】
既設排水ソケット２は代表的な樹脂である硬質塩化ビニールで形成され、既設排水ソケット２と排水管８とを溶剤であるビニール系接着剤にてシール接合している。一方、新設排水ソケット３、３３は排水管８との接着をしないので成形設備が容易で成形しやすいＡＢＳ樹脂で形成している。
【００２１】
【発明の効果】
以上、本発明に係る便器の排水ソケット接続構造は、既設の便器を取替える際に既設排水ソケットを取外さず、そのソケットに新設便器用の排水ソケットを接続し便器を取り付けることが可能となる。また、床排水管立上げをやり直す工事が不要となり容易に便器を取替えることが可能になる。
【図面の簡単な説明】
【図１】本発明請求項１に係る新設排水ソケットと既設排水ソケットとの接続状態を示す断面図である。
【図２】本発明請求項１に係る別の新設排水ソケットと既設排水ソケットとの接続状態を示す断面図である。
【図３】本発明請求項２に係る新設排水ソケットと既設排水ソケットとの接続状態を示す断面図である。
【図４】本発明請求項２に係る別の新設排水ソケットと既設排水ソケットとの接続状態を示す断面図である。
【図５】本発明請求項３に係る新設排水ソケットと既設排水ソケットとの接続状態を示す断面図である。
【図６】本発明請求項３に係る別の新設排水ソケットと既設排水ソケットとの接続状態を示す断面図である。
【図７】本発明請求項５に係る新設排水ソケットと既設排水ソケットとの接続状態を示す断面図である。
【図８】本発明請求項５に係る別の新設排水ソケットと既設排水ソケットとの接続状態を示す断面図である。
【図９】本発明請求項５に係る新設排水ソケットと既設排水ソケットとの接続状態を示す部分断面図である。
【図１０】図７の実施例に係る新設排水ソケットと既設排水ソケットとの接続状態を示す断面図の部分断面拡大図である。
【図１１】本発明請求項６に係る新設排水ソケットの平面図である。
【図１２】従来の大便器のフランジ接続構造を示す断面図である。
【図１３】従来の取替え大便器の排水ソケット接続構造を示す断面図である。
【図１４】従来の大便器の排水ソケット接続構造を示す断面図である。
【図１５】従来の大便器の排水ソケット接続構造を示す拡大断面図である。
【図１６】従来の大便器の排水ソケットの平面図と断面図である。
【符号の説明】
１…大便器
２…既設排水ソケット
２ａ…既設排水ソケットのゴムジョイント装着筒部
３、３３…新設排水ソケット
３ａ、３３ａ…新設排水ソケットのゴムジョイント装着筒部
３ｂ…水平段部
３ｃ、３３ｃ…排水通路
３ｄ、３３ｄ…差込み筒部
３ｆ、３３ｆ…外周壁部
３ｇ、３３ｇ…排水筒部
３ｋ、３３ｋ…排水管との第１嵌合筒状部
３ｍ…排水管との第２嵌合筒状部
４、４４…新設ゴムジョイント
５、５５…便器固定ボルト
６…便器固定ナット
７…既設排水ソケットの床固定ネジ
８…排水管
９…便器固定ボルト取付部
１０…排水ソケット固定穴
１１…フランジ部
１２…便器排水口
１３…既設ゴムジョイント
１４…排水管との嵌合筒部
１５…中心軸の印
２３…新規ゴムジョイント
２６…Ｐシールガスケット
２７…フランジ接続部
３３ｅ…下方差込み筒部
３３ｈ…排水受面
３３ｊ…排水案内面
【図１】
0004221753.tif 000002
【図２】
0004221753.tif 000003
【図３】
0004221753.tif 000004
【図４】
0004221753.tif 000005
【図５】
0004221753.tif 000006
【図６】
0004221753.tif 000007
【図７】
0004221753.tif 000008
【図８】
0004221753.tif 000009
【図９】
0004221753.tif 000010
【図１０】
0004221753.tif 000011
【図１１】
0004221753.tif 000012
【図１２】
0004221753.tif 000013
【図１３】
0004221753.tif 000014
【図１４】
0004221753.tif 000015
【図１５】
0004221753.tif 000016
【図１６】
0004221753.tif 000017